(57)【要約】【課題】通常の撮影に使用しているデジタルカメラを、容易に監視カメラとして使用する【解決手段】クレードル装置３は、クレードルボディ２０、撮影範囲切替部２１、調整脚２２からなる。クレードルボディ２０は、装着部２３、ＤＣ電源入力コネクタ３０、ＵＳＢコネクタ３２を備える。装着部２３には、接続端子２６が設けられている。撮影範囲切替部２１は、レンズ支持枠３４、広角コンバータレンズ３５からなる。装着部２３にデジタルカメラ２を装着すると接続コネクタ２７、接続端子２６を介してクレードル装置３と接続され、ＵＳＢコネクタ３２に接続されたパーソナルコンピュータからの指示をデジタルカメラ２に送信し、デジタルカメラ２に間欠撮影を行わせる。広角コンバータレンズ３５は撮影レンズ４の前面に位置し、デジタルカメラ２の撮影範囲を広角にする。【選択図】　　　　図１
2004072194.tif 000002
【特許請求の範囲】
【請求項１】
デジタルカメラが装着される凹形状の装着部が上方部に形成され、デジタルカメラの接続用コネクタに接続される接続端子を前記装着部に備えており、前記装着部に前記デジタルカメラが装着されたとき、前記接続用コネクタに前記接続端子が接続され、この接続端子を介して、デジタルカメラが所定の時間間隔で被写体の撮影を行って電子記憶手段に記憶する間欠撮影を行うことを指示する信号を送信することを特徴とするクレードル装置。
【請求項２】
前記デジタルカメラを前記装着部に装着したとき、デジタルカメラの撮影レンズの前面に位置し、デジタルカメラの撮影範囲を通常時よりも広角にする広角コンバータレンズを設けたことを特徴とする請求項１記載のクレードル装置。
【請求項３】
前記デジタルカメラを前記装着部に装着したとき、デジタルカメラの撮影光軸上に位置しており、被写体像を広角な範囲で鏡面に映し出し、この鏡面に映し出された被写体像がデジタルカメラの撮影レンズに入射することにより、デジタルカメラの撮影範囲を広角にする広角凸面鏡を設けたことを特徴とする請求項１記載のクレードル装置。
【請求項４】
前記装着部に装着されたデジタルカメラの傾きを変更するための調整脚を設けたことを特徴とする請求項１ないし３いずれか記載のクレードル装置。
【発明の詳細な説明】
【０００１】
【発明の属する技術分野】
本発明は、デジタルカメラを保持するクレードル装置に関するものである。
【０００２】
【従来の技術】
デジタルカメラは軽量・小型で携帯性の良いことが最大の利点であり、被写体画像を撮影して電子記憶手段に記憶するための機構以外は、なるべくカメラボディに内蔵せず、付属機器としてカメラボディに接続して使用するほうが良い。そこで、パーソナルコンピュータとの接続のためのＩ／Ｆ（インターフェース）を備えた中継器、及び充電を行う充電器の機能を備えた、例えば、クレードル・アッセンブリや、ドッキングステーションと呼称されるものがデジタルカメラに付属していることが多い。以下では、このクレードル・アッセンブリやドッキングステーションといわれるものをクレードル装置と称して説明する。
【０００３】
上述したようなクレードル装置は、デジタルカメラの底面部に合わせた凹形状に形成された装着部が設けられており、この装着部にデジタルカメラを装着することによって、デジタルカメラは所定の角度に位置決めされる。このようにデジタルカメラを装着することによって、クレードル装置はデジタルカメラを被写体に向けて保持する三脚的な機能も果たすことができる。
【０００４】
一方、デジタルカメラは、携帯性が良いことに加えて、記憶手段として使用されるメモリカードに多くの撮影枚数の撮影画像データを記憶可能であるということが、大きな利点となっている。このメモリカードに記憶可能な枚数としては、例えば、本出願人より製造・販売されているＦｉｎｅｐｉｘＳ６０２（商品名）の場合、１２８ＭＢのスマートメディア（登録商標）に１２８０×９６０の記録画素数、及び通常の画質モードで使用すると、３９８枚分の撮影画像データを記憶することができる。最近では、デジタルカメラのＣＰＵ処理速度の向上と、メモリカードの大容量化がますます進んでおり、今後より多くの撮影枚数の記憶が可能となることが予想される。
【０００５】
そこで、このような利点を生かして、デジタルカメラを人物や風景など通常の撮影に使用するだけではなく、監視目的での撮影を行うための監視カメラとして使用することが考えられている。このような監視目的でデジタルカメラを使用するために、例えば、特開平１０−３０４２２７号公報に記載されているデジタルカメラのように、長時間に渡って一定個所を撮影した画像を得ることができるように様々な工夫が考えられている。さらに、デジタルカメラを監視カメラとして使用する場合には、上述したようなクレードル装置を使用することによってデジタルカメラを保持して所定の被写体に向けて位置を固定しつつ、パーソナルコンピュータへ撮影した画像データを転送するという使用形態が考えられている。
【０００６】
【発明が解決しようとする課題】
ところで、通常の撮影用のデジタルカメラを、監視カメラとして使用するには、被写体画像を撮影してモニタに表示するだけではなく、被写体画像の撮影を行ないながら、画像データを常に電子記憶手段に記憶しておかなくてはならない。しかしながら、上記公報記載のデジタルカメラでは、監視を行っている際中に画像データを記憶することについては詳しい記載がない。
【０００７】
さらに、デジタルカメラで通常の撮影を行う場合と、監視用の撮影を行うときとでは、撮影範囲の画角が異なる場合がある。すなわち、監視カメラとして例えば室内全体の監視を行ないたいときには、広角な撮影範囲が必要であるが、通常の撮影用に設定されているデジタルカメラでは、室内全体を撮影できるような広角撮影を行うことは困難であり、上記公報記載のデジタルカメラでは、撮影範囲の調整を行うときには通常よりも撮影範囲を狭めることは可能であるが、広角撮影にするための撮影範囲の調整手段については記載されていない。
【０００８】
また、従来のクレードル装置では、デジタルカメラを監視カメラとして使用することは考慮されておらず、クレードル装置にデジタルカメラを装着し、パーソナルコンピュータに接続した場合、デジタルカメラで撮影したスルー画像をパーソナルコンピュータに転送し、パーソナルコンピュータに表示するという使用方法が一般的であり、画像を記憶することまでは考えられていなかったので、即監視カメラとして使用することはできない。
【０００９】
さらにまた、従来のクレードル装置では、所定の角度に位置決めされた状態で装着部にデジタルカメラが装着されており、デジタルカメラの傾きを自由な角度に調整することができず、撮影範囲の画角を決めることが困難であった。
【００１０】
本発明は、上記事情を考慮してなされたものであり、通常の撮影に使用しているデジタルカメラを、容易に監視カメラとして使用することが可能なクレードル装置を提供することを目的とする。
【００１１】
【課題を解決するための手段】
上記問題点を解決するために、本発明のクレードル装置にでは、デジタルカメラが装着される凹形状の装着部が上方部に形成され、デジタルカメラの接続用コネクタに接続される接続端子を前記装着部に備えており、前記装着部に前記デジタルカメラが装着されたとき、前記接続用コネクタに前記接続端子が接続され、この接続端子を介して、デジタルカメラが所定の時間間隔で被写体の撮影を行って電子記憶手段に記憶する間欠撮影を行うことを指示する信号を送信している。
【００１２】
また、請求項２に記載のクレードル装置では、前記デジタルカメラを前記装着部に装着したとき、デジタルカメラの撮影レンズの前面に位置し、デジタルカメラの撮影範囲を通常時よりも広角にする広角コンバータレンズを設けている。
【００１３】
また、請求項３記載のクレードル装置では、前記デジタルカメラを前記装着部に装着したとき、デジタルカメラの撮影光軸上に位置しており、被写体像を広角な範囲で鏡面に映し出し、この鏡面に映し出された被写体像がデジタルカメラの撮影レンズに入射することにより、デジタルカメラの撮影範囲を広角にする広角凸面鏡を設けている。
【００１４】
さらにまた、請求項４記載のクレードル装置では、前記装着部に装着されたデジタルカメラの傾きを変更するための調整脚が設けられており、これによって、デジタルカメラの撮影範囲を容易に設定することが可能となっている。
【００１５】
【発明の実施の形態】
図１は、デジタルカメラ２と、本発明を実施したクレードル装置３との構成を示す外観斜視図である。デジタルカメラ２の前面には、撮影レンズ４が組み込まれたレンズ鏡筒５、ファインダを構成する対物側ファインダ窓７、被写体に向けてストロボ光を照射するストロボ発光部８、シャッタレリーズ操作に用いられるシャッタボタン９等が設けられている。
【００１６】
デジタルカメラ２の一方の側面には、メモリカード１０が着脱自在にセットされるメモリカードスロット１１が設けられている。このメモリカードスロット１１の奥には、後述するメモリＩ／Ｆ１２（図４参照）が組み込まれており、メモリカードスロット１１にメモリカード１０をセットするとメモリＩ／Ｆ１２にメモリカード１０が電気的に接続される。メモリカードスロット１１は、塵芥の侵入等を防止するために、開閉式の保護カバー１３によって保護されている。なお、メモリカード１０としては、スマートメディア（登録商標）を使用している。
【００１７】
デジタルカメラ２の背面には、ファインダを構成する接眼側ファインダ窓や操作部（図示せず）等が設けられている。デジタルカメラ２には、バッテリ室が設けられている。デジタルカメラ２の底面部１５には、バッテリ室にアクセスするための開口部１６が設けられている。この開口部１６は、蓋部材１７によって開閉される。バッテリ室には充電可能な２次電池としてのバッテリ１８がセットされる。
【００１８】
クレードル装置３は、クレードルボディ２０と、撮影範囲切替部２１と、調整脚２２とからなる。クレードルボディ２０は、短矩形の台状に形成されており、上面にデジタルカメラ２が装着される装着部２３が設けられている。装着部２３はデジタルカメラ２の底面部１５の外周に合わせた凹形状に形成されており、この装着部２３に底面部１５の位置を合わせて置くことによって、デジタルカメラ２が所定の角度に位置決めされて支持される。
【００１９】
装着部２３の内部には、接続端子２６が設けられている。この接続端子２６は、装着部２３にデジタルカメラ２が装着されたとき、デジタルカメラ２の底面部１５に設けられた接続コネクタ２７に嵌合して、デジタルカメラ２とクレードル装置３とを電気的に接続する。デジタルカメラ２と電気的に接続されることによって、クレードル装置３はデジタルカメラ２を安定して保持する台として機能するとともに、充電や外部機器との接続を介在するターミナルとしても機能する。デジタルカメラ２がセットされた際には、デジタルカメラ２を被写体に向けて保持する三脚的な機能も果たす。
【００２０】
クレードルボディ２０の側面には、ＤＣ電源入力コネクタ３０，パーソナルコンピュータ３１（図４参照）等に接続されるＵｎｉｖｅｒｓａｌ　ＳｅｒｉａｌＢｕｓ（ＵＳＢ）コネクタ３２が設けられている。これらのコネクタ３０，３２は、スタンド３内部で接続端子２６に接続されている。
【００２１】
クレードルボディ２０の前面には、撮影範囲切替部２１が設けられている。撮影範囲切替部２１は、レンズ支持枠３４と、広角コンバータレンズ３５と、回動軸３６と、位置決めピン３７ａ，３７ｂとからなる。レンズ支持枠３４は、矩形断面の薄板形状に形成された軸部３８と、この軸部３８の先端側に一体に形成された枠部３９とからなる。このレンズ支持枠３４は、軸部３８が回動軸３６を介してクレードルボディ２０の前面に取り付けられている。
【００２２】
枠部３９は、円環状に形成されており、広角コンバータレンズ３５が嵌め込まれて固着されている。この広角コンバータレンズ３５は、レンズ支持枠３４の回動によって、デジタルカメラ２の撮影レンズ４の撮影光軸Ｌと垂直な面内を移動する。
【００２３】
位置決めピン３７ａ，３７ｂは、レンズ支持枠３４を回動させたとき、軸部３８の側面３８ａ、３８ｂにそれぞれ当接してレンズ支持枠３４を位置決めする。これによってレンズ支持枠３４の回動する範囲が制限される。
【００２４】
上述したようにレンズ支持枠３４が回動し、位置決めピン３７ａ，３７ｂに当接することによって、広角コンバータレンズ３５は、撮影レンズ４の前方に位置する広角撮影位置（図１の２点鎖線で示す位置）と、撮影レンズ４の前方から退避する退避位置（図１の実践で示す位置）との間で移動自在となっている。デジタルカメラ２が未装着のときは、広角コンバータレンズ３５は退避位置となっている。
【００２５】
図２、及び図３は、デジタルカメラ２をクレードル装置３に装着した状態を示すものである。デジタルカメラ２が装着状態のとき、広角コンバータレンズ３５を広角撮影位置に移動させると、広角コンバータレンズ３５が撮影レンズ４の前方に位置し、なおかつ広角コンバータレンズ３５の光軸の位置と撮影レンズ４の撮影光軸Ｌの位置とが一致している。これによってデジタルカメラ２は、広角な撮影範囲での撮影が可能となる。
【００２６】
調整脚２２は、クレードルボディ２０の４隅付近から下方へ突出するように配置されている。この調整脚２２は、図３に示すように、脚本体４０と、クレードルボディ２０の底面２０ａに螺合する雄ネジ部４２と、さらに雄ネジ部４２の先端に位置する抜け止め部４３とが一体に形成されている。調整脚２２を軸中心に回転させると、雄ネジ部４２が底面２０ａに対して軸方向に沿って直進し、調整脚２２が底面２０ａから突出する長さが調整される。このようにして調整脚２２が突出する長さを変更することで、クレードルボディ２０の傾きを変更し、クレードル装置３に装着されたデジタルカメラ２の撮影光軸Ｌの傾きを調整することができる。なお、図３においては、クレードルボディ２０の後方部に配置されている調整脚２２に対して前方部に配置されている調整脚２２の突出する寸法を長くしている。これによって、クレードルボディ２０の前方が高くなり、後方が低くなるように傾いているので、クレードル装置３に装着されているデジタルカメラ２は、撮影光軸Ｌが水平方向に対して上方を向くように傾斜している。
【００２７】
図４は、デジタルカメラ２及びクレードル装置３の電気的構成の概略を示すブロック図である。システムコントローラ４６は、デジタルカメラ２の各種回路を全体的に管理し、制御するものである。入力部４７は、レリーズボタン９、及び各種操作部等からなり、これらの操作に応じた操作信号をシステムコントローラ４６に送信する。システムコントローラ４６はこれらの操作信号に基づいて、各種回路を制御して撮影のためのシーケンスを実行する。
【００２８】
撮影レンズ４の背後には、ＣＣＤイメージセンサ４９が配置されており、撮影レンズ４のピント合わせによりＣＣＤイメージセンサ４９の光電面に被写体画像が結像される。ＣＣＤイメージセンサ４９はＣＣＤドライバ５０の駆動によって光電面に結像された光学的な被写体画像を電気的な撮影信号に変換して出力する。
【００２９】
ＣＣＤイメージセンサ４９から出力される撮影信号はアンプ５２で適当なレベルに増幅された後、Ａ／Ｄコンバータ５３によってデジタル変換される。なお、周知のようにＣＣＤドライバ５０の駆動及びＡ／Ｄコンバータ５３のサンプリングタイミングとの間には同期がとられている。
【００３０】
Ａ／Ｄコンバータ５３は撮影信号をデジタル変換して画像データを生成し、これを順次に画像データ処理回路５５に入力する。画像データ処理回路５５は、入力されてくる画像データに対してマトリクス演算、ホワイトバランス調節、ガンマ補正などの信号処理を行う。
【００３１】
さらに、システムコントローラ４６には、パーソナルコンピュータ３１とのデータ通信を行うパソコン用通信回路５７、バッテリ１８への充電を制御する電源制御回路５８、及びメモリカード１０への書き込み及び読み出しを行うメモリＩ／Ｆ１２が接続されている。
【００３２】
パソコン通信用回路５７、及び電源制御回路５８は、底面部１５に設けられた接続コネクタ２７に接続されている。この接続コネクタ２７と、クレードル装置３の接続端子２６との接続によって、パソコン通信回路５７、及び電源制御回路５８と、クレードル装置３のＵＳＢコネクタ３２、及び充電回路６１とがそれぞれ電気的に接続されることになる。
【００３３】
クレードル装置３には、接続端子２７、ＤＣ電源入力コネクタ３０、ＵＳＢコネクタ３２、及び充電回路６１が設けられている。本実施形態においては、ＵＳＢコネクタ３２には、ＵＳＢケーブル６２を介してパーソナルコンピュータ３１が接続されており、クレードル装置３にデジタルカメラ２が装着されると、接続端子２６及び接続コネクタ２７を介してデジタルカメラ２とパーソナルコンピュータ３１とが電気的に接続される。このようにしてデジタルカメラ２がパーソナルコンピュータ３１に接続されたとき、システムコントローラ４６はパーソナルコンピュータ３１からの各種指示信号をパソコン通信用回路５７で受信して、その受信した各種指示信号に基づいて、各種回路を制御して撮影のためのシーケンスを実行するとともに、被写体画像を撮像した画像データを含む各種データをパーソナルコンピュータ３１に送信する。
【００３４】
充電回路６１は、ＤＣ電源入力コネクタ３０と、接続端子２６とに接続されている。ＤＣ電源入力アダプタ３０には、ＡＣ電源アダプタ６３が接続されており、ＤＣ電源が充電回路６１へ供給される。クレードル装置３にデジタルカメラ２が装着されると、接続端子２６、接続コネクタ２７、及び電源制御回路５８を介してデジタルカメラ２内部のバッテリ１８に充電回路６１が電気的に接続される。電源制御回路５８は、クレードル装置３にデジタルカメラ２が装着されているときには、充電回路６１から供給された電力によってバッテリ１８を充電する。
【００３５】
パーソナルコンピュータ３１には、ＯＳ（ＯｐｅｒａｔｉｎｇＳｙｓｔｅｍ）の他に、デジタルカメラ２との通信用ソフト、及びデジタルカメラ２を監視カメラとして操作するための監視カメラ操作用ソフト等の各種ソフトがインストールされている。本実施形態における監視カメラ操作用ソフトでは、デジタルカメラ２によって所定の時間間隔で被写体の撮影を行って、その撮影した画像データをメモリカード１０に順次記憶する間欠撮影を行うように指示するプログラムがなされている。
【００３６】
次に上記構成の作用について説明する。なお、本実施形態においては、監視対象となる被写体が室内にあることを想定し、この室内にデジタルカメラ２、及びクレードル装置３を設置し、広角な撮影範囲で監視を行う場合を例に上げて説明を行う。デジタルカメラ２を監視カメラとして使用するには、先ずデジタルカメラ２、及びパーソナルコンピュータ３１の電源をオン状態とし、ＯＳや通信、及び監視カメラ操作用のソフトを起動させておく。また、ＡＣ電源アダプタ６３をＡＣ１００Ｖなどのコンセントに挿入しておく。
【００３７】
そして、クレードル装置３の装着部２３にデジタルカメラ２を装着すると、パーソナルコンピュータ３１と電気的に接続される。また、撮影範囲切替部２１の広角コンバータレンズ３５を広角撮影位置に移動する。これによって、デジタルカメラ２は、室内の監視に適した広角な撮影範囲での撮影が可能になる。なお、被写体が通常の撮影範囲に位置し、広角な撮影範囲で撮影する必要がないときには、広角コンバータレンズ３５を退避位置にしておくようにすればよい。また、調整脚２２を調整し、撮影レンズ４の撮影光軸Ｌが被写体の方向を向くようにする。
【００３８】
そして、パーソナルコンピュータ３１の監視カメラ操作用ソフトによる命令がクレードル装置３を経由し、接続端子２６及び接続コネクタ２７を介してデジタルカメラ２へ送信される。監視カメラ操作用ソフトによる指示の信号は、パソコン通信回路６７からシステムコントローラ４６へと送信される。システムコントローラ４６は、監視カメラ操作用ソフトからの指示に基づいてデジタルカメラ２の各種回路を駆動する。これによって、システムコントローラ４６は、所定の時間間隔でシャッタ動作が行われるようにＣＣＤドライバ５０を駆動し、このときＣＣＤイメージセンサ４９の光電面に結像された被写体画像をメモリカード１０に順次記憶していく。所定の時間間隔で撮影された被写体画像の画像データとしては、例えば数百枚までメモリカード１０に記憶させることができる。そしてメモリカード１０の容量が限界になるまで画像データが記憶されたときには、最も古い時間の画像データから順に消去して、新しい画像データを順次記憶していく。このようにして、監視対象となる被写体の画像データを撮影してメモリカード１０に記憶しておくことが可能であり、デジタルカメラ２をクレードル装置３に装着したときから、即監視カメラとして容易に使用することが可能である。
【００３９】
なお、上記実施形態では、監視対象となる被写体画像を撮影した画像データをメモリカード１０に記憶するという監視方法を行っているが、本発明はこれに限るものでなく、例えばパーソナルコンピュータ３１をインターネットに接続し、デジタルカメラ２で撮影した被写体の最新の画像データを随時、パーソナルコンピュータ３１に保存し、さらにインターネットを経由して、監視を行っているユーザーが携帯している携帯電話に最新の画像データを送信するように設定してもよい。これによって、ユーザーは監視対象の最新状態を知ることができる。また、パーソナルコンピュータ３１からユーザーの携帯電話に直接画像データを送信することができない場合には、パーソナルコンピュータ３１からインターネット上のデータ配信サーバーへアップロードし、このデータ配信サーバーから最新の画像データを配信して、ユーザーの携帯電話で受信するようにすればよい。
【００４０】
また、上記実施形態においてはクレードル装置３に接続したパーソナルコンピュータ３１から監視カメラ操作用ソフトによる指示を接続端子２６及び接続コネクタ２７を介してデジタルカメラ２へ送信し、デジタルカメラ２によって所定の時間間隔で被写体の撮影を行って、その撮影した画像データをメモリカード１０に順次記憶する間欠撮影を行うようにしているが、本発明はこれに限るものではなく、例えばデジタルカメラ２が間欠撮影を行うための制御をするＣＰＵを、クレードル装置３に内蔵し、このＣＰＵからの指示を接続端子２６及び接続コネクタ２７を介してデジタルカメラ２へ送信することによって、デジタルカメラ２が間欠撮影を行うようにしてもよい。
【００４１】
また、上記実施形態においては、監視対象となる被写体画像を撮影した画像データをデジタルカメラ２に装着したメモリカード１０に記憶しているが、これに限るものではなく、例えば着脱自在のメモリカードではなく、デジタルカメラ２に組み込まれたメモリに記憶してもよいし、被写体画像を所定の時間間隔で間欠撮影し、パーソナルコンピュータ３１に随時送信した画像データを、パーソナルコンピュータ３１に内蔵された記憶装置としてのＨＤＤ（ハードディスクドライブ）などに記憶するようにしてもよい。
【００４２】
また、上記実施形態においては、デジタルカメラ２に内蔵されたバッテリ１８に、クレードル装置３に内蔵された充電回路６１から接続端子２６、接続コネクタ２７を介して充電を行い、電力を供給しているが、これに限るものではない。例えば、クレードル装置３からデジタルカメラ２へ充電を行わず、デジタルカメラ２に内蔵されたバッテリのみを電源として使用するようにしてもよい。あるいは、デジタルカメラ２にＡＣ電源アダプタを直接接続して電源を供給するようにしてもよい。
【００４３】
さらにまた、上記実施形態では、広角な撮影範囲で被写体画像を撮影するために、広角コンバータレンズを設け、撮影レンズの前面に配置しているが、本発明はこれに限るものではない。図５に示すクレードル装置７０のように、デジタルカメラ２の撮影光軸Ｌ上に位置しており、被写体像を広角な範囲で鏡面７１に映し出す広角凸面鏡７２を設けるようにしてもよい。なお、図５では、上記実施形態と同様の部材、部品については同じ符号を用いて、説明を省略する。また、クレードル装置７０の電気的構成は上述したクレードル装置３と同様である。クレードル装置７０では、広角凸面鏡７２を支持する支持棒７３をクレードルボディ７４に固定しており、クレードルボディ７４の上方部に形成された装着部２３に装着したデジタルカメラ２の撮影レンズ４に、広角凸面鏡７２の鏡面７１に映し出された被写体像が入射する。これによって、デジタルカメラ２は広角な撮影範囲で監視対象となる被写体を撮影することができる。
【００４４】
【発明の効果】
以上説明したように、本発明のクレードル装置によれば、デジタルカメラが装着される凹形状の装着部が上方部に形成され、デジタルカメラの接続用コネクタに接続される接続端子を前記装着部に備えており、前記装着部に前記デジタルカメラが装着されたとき、前記接続用コネクタに前記接続端子が接続され、この接続端子を介して、デジタルカメラが所定の時間間隔で被写体の撮影を行って電子記憶手段に記憶する間欠撮影を行うことを指示する信号を送信しているので、通常の撮影に使用するデジタルカメラを容易に監視カメラとして使用することができる。
【００４５】
また、請求項２に記載のクレードル装置では、前記デジタルカメラを前記装着部に装着したとき、デジタルカメラの撮影レンズの前面に位置し、デジタルカメラの撮影範囲を通常時よりも広角にする広角コンバータレンズを設けており、請求項３記載のクレードル装置では、前記デジタルカメラを前記装着部に装着したとき、デジタルカメラの撮影光軸上に位置しており、被写体像を広角な範囲で鏡面に映し出し、この鏡面に映し出された被写体像がデジタルカメラの撮影レンズに入射することにより、デジタルカメラの撮影範囲を広角にする広角凸面鏡を設けているので、広角な撮影範囲が必要となる被写体を確実に撮影し、監視を行うことができる。さらに請求項４に記載のクレードル装置では、デジタルカメラの傾きを変更するための調整脚を設けたので、撮影範囲の設定をさらに容易に行うことができる。
【図面の簡単な説明】
【図１】デジタルカメラ及び本発明のクレードル装置の構成を示す外観斜視図である。
【図２】デジタルカメラをクレードル装置に装着した状態を示す外観斜視図である。
【図３】デジタルカメラをクレードル装置に装着した状態を示す側面図である。
【図４】デジタルカメラ及びクレードル装置の電気的構成を示すブロック図である。
【図５】図１に示すクレードル装置とは別の実施例のクレードル装置にデジタルカメラを装着した状態を示す側面図である。
【符号の説明】
２　デジタルカメラ
３，７０　クレードル装置
４　撮影レンズ
１０　メモリカード
２３　装着部
２６　接続端子
２７　接続コネクタ
３０　ＤＣ電源入力コネクタ
３１　パーソナルコンピュータ
３２　ＵＳＢコネクタ
３５　広角コンバータレンズ
４６　ＣＰＵ
７２　広角凸面鏡
【図１】
2004072194.tif 000003
【図２】
2004072194.tif 000004
【図３】
2004072194.tif 000005
【図４】
2004072194.tif 000006
【図５】
2004072194.tif 000007